(57)【要約】      （修正有）【課題】プレス成形により安価に製作可能で、しかも機械的強度を十分に確保しつつ、薄肉化及び軽量化が可能な自動車用ブレーキディスクローターとして好適な金属板成形品及びその製造方法を提供する。【解決手段】ホイールに固定される内側部としての取付面部２と、パッドで挟圧される外側部としての摺動面部３と、摺動面部３と取付面部２とが軸方向に間隔をあけて平行配置されるように、摺動面部３の内周縁から立ち上がって、摺動面部３と取付面部２とを連結する連結部５とを備え、連結部５は、周方向に間隔をあけて設けた、半径方向に幅を有する板状の複数のスポーク部４であって、一端部を摺動面部の内周縁に連結し、他端部を取付面部の外周縁に連結し、途中部に軸方向との直交面に対して傾斜状で且つ周方向に延びる傾斜円弧部４ｃを有する、複数のスポーク部４を備えた。【選択図】図１
2017013099.tif 000002
【特許請求の範囲】
【請求項１】
内側部と、前記内側部よりも外周側に設けた外側部と、前記外側部と内側部とが両者の板厚方向に間隔をあけて平行配置されるように、前記外側部の内周縁から立ち上がって、前記外側部と前記内側部とを連結する連結部とを備えたハット形状の金属板成形品であって、
前記連結部は、周方向に間隔をあけて設けた、半径方向に幅を有する板状の複数のスポーク部であって、一端部を外側部の内周縁に連結し、他端部を内側部の外周縁に連結し、途中部にオフセット方向との直交面に対して傾斜状で且つ周方向に延びる傾斜円弧部を有する、複数のスポーク部を備えた、
ことを特徴とする金属板成形品。
【請求項２】
前記金属板成形品が自動車用ブレーキディスクローターであり、前記内側部がホイールに固定される取付面部であり、前記外側部がパッドで挟圧される摺動面部であり、前記連結部により、前記摺動面部と取付面部とが軸方向に間隔をあけて平行配置されるように、前記摺動面部の内周縁から立ち上がって、前記摺動面部と前記取付面部とが連結されている請求項１記載の金属板成形品。
【請求項３】
前記傾斜円弧部を、前記外側部の内周縁との連結部位から、前記内側部の外周縁との連結部位へ向けて周方向に設けた請求項１又は２記載の金属板成形品。
【請求項４】
前記傾斜円弧部の途中部に折り返し部を形成し、前記傾斜円弧部に、前記内側部の外周縁との連結部位から折り返し部に至る内周側部分と、前記折り返し部から外側部の内周縁との連結部位に至る外周側部分とを設けた請求項１又は２記載の金属板成形品。
【請求項５】
前記外側部と内側部との板厚方向に対する間隔を２０ｍｍ以上に設定した請求項１〜４のいずれか１項記載の金属板成形品。
【請求項６】
前記複数のスポーク部を回転対称に形成した請求項１〜５のいずれか１項記載の金属板成形品。
【請求項７】
内側部と、前記内側部よりも外周側に設けた外側部と、前記外側部と内側部とが両者の板厚方向に間隔をあけて平行配置されるように、前記外側部の内周縁から立ち上がって、前記外側部と前記内側部とを連結する連結部とを備えた、金属板をプレス成形してなるハット形状の金属板成形品であって、
前記金属板を打ち抜いて一次成形板を準備する一次成形板準備工程と、
該一次成形板における前記連結部に対応する環状面部内に、周方向に延びる複数のスリットを、周方向に間隔をあけて、該スリットの両端が隣接する両側のスリットの端部にそれぞれ周方向に一定角度だけ半径方向に重なるように形成するスリット形成工程と、
前記内側部に相当する部分を、板厚方向に押し出すことによって前記スリットを開き、かつ前記内側部と前記外側部が平行になるようにプレス成形して前記連結部を形成するプレス成形工程とを備えたことを特徴とする金属板成形品の製造方法。
【請求項８】
前記金属板成形品が自動車用ブレーキディスクローターであり、前記内側部がホイールに固定される取付面部であり、前記外側部がパッドで挟圧される摺動面部であり、前記連結部により、前記摺動面部と取付面部とが軸方向に間隔をあけて平行配置されるように、前記摺動面部の内周縁から立ち上がって、前記摺動面部と前記取付面部とが連結されている請求項７記載の金属板成形品の製造方法。
【請求項９】
前記スリットが、径方向に対して傾斜する直線、曲線、又は直線と曲線の組合せからなる請求項７又は８記載の金属板成形品の製造方法。
【請求項１０】
前記スリットが、周方向の一方側に向けて開口するＵ字部と、該Ｕ字部の中央部から周方向の他方向へ延びる曲線部との組合せからなるＹ字状に形成されている請求項７又は８記載の金属板成形品の製造方法。
【請求項１１】
前記外側部と内側部との板厚方向に対する間隔を２０ｍｍ以上に設定した請求項７〜１０のいずれか１項記載の金属板成形品の製造方法。
【請求項１２】
前記複数のスリットを、前記一次成形板の中心に対して回転対称となるように形成した請求項７〜１１のいずれか１項記載の金属板成形品の製造方法。
【発明の詳細な説明】
【技術分野】
【０００１】
本発明は、自動車用ブレーキディスクローターとして好適な金属板成形品及びその製造方法に関する。
【背景技術】
【０００２】
自動車のブレーキディスクローターは、一般的にハット形をしており、図１３に示すブレーキディスクローター１００のように、ホイールに固定される円盤状の取付面部１０１と、取付面部１０１よりも外周部に設けられて、パッドで挟圧されるドーナツ状の摺動面部１０２と、摺動面部１０２からほぼ直角に立ち上がって摺動面部１０２と取付面部１０１を繋ぐ連結部１０３とを備えて構成されている。
【０００３】
このような自動車用ブレーキディスクローター１００は、一般的に鋳造品である。これは、取付面部１０１と摺動面部１０２を繋ぐ連結部１０３がほぼ垂直に立ち上がる形状であり、鋳造であれば、このような形状を簡単に作ることができて形状の自由度が高いことから、通常は鋳造によって製造されている。
【０００４】
しかし、鋳造品は形状の自由度が大きいという利点はあるものの、靭性が低く割れや欠けを生じやすい。その故、強度を確保するため厚肉の部品設計にならざるを得ず、製品重量がどうしても大きくなるという問題がある。
【０００５】
しかしながら、近年、自動車の軽量化が指向される状況において、ブレーキディスクローターの軽量化の要求が潜在的に存在する。
【０００６】
一方、オートバイ用のブレーキディスクローターでは、ブレーキディスクローター自体が、外部に露出される関係上、制動機能だけでなく、オートバイの外観意匠に影響を与える１つの要素となるので、機械的強度に優れるとともに耐発錆性に優れたステンレスが広く採用されている。
【０００７】
オートバイ用のブレーキディスクローターの製造方法としては、例えば特許文献１に示されるように、ステンレス鋼板を円盤状に打ち抜いて、制動部とハブ部とを連結するブラケット部（連結部１０３）に開口部を形成し、さらに絞り加工によってブラケット部（連結部１０３）に傾斜面の加工を施すというものである。
【先行技術文献】
【特許文献】
【０００８】
【特許文献１】特開昭５５−３６６７４号公報
【発明の概要】
【発明が解決しようとする課題】
【０００９】
上記のように、鋳造品からなる自動車用ブレーキディスクローター１００は、靭性が低く割れや欠けを生じやすいため、強度を確保するため厚肉の部品設計にならざるを得ないという問題がある。
【００１０】
他方、オートバイ用のブレーキディスクローターはステンレス鋼板によって製造されているため、靭性が高く薄肉化、軽量化が可能であるという利点がある。
【００１１】
しかし、特許文献１記載のオートバイ用のブレーキディスクローターの製造方法で自動車用ブレーキディスクローター１００を製造しようとすると、以下のような問題が発生する。
【００１２】
オートバイ用ブレーキディスクローターのブラケット部（連結部１０３）は傾斜面となっているが、自動車用ブレーキディスクローター１００は、図１３に示すように、連結部１０３がほぼ直角に立ち上がっているため、厚肉のステンレス鋼板を絞り加工して製作することが困難である。
【００１３】
この点、特許文献１に開示されているように、ブラケット部（連結部１０３）に相当する部位に円周方向に複数の開口部を設けたとしても、ブラケット部（連結部１０３）をほぼ直角に立ち上げるような絞り加工を施すと、ブラケット部（連結部１０３）が過薄になってブレーキディスクローターの強度を確保できない、または破断して絞り成形ができないという問題が生ずる。
【００１４】
つまり、ステンレス鋼板を用いたオートバイ用ブレーキディスクローターは、靭性が高く薄肉化、軽量化が可能である反面、形状に対する自由度が低いという問題があった。
【００１５】
そのため、自動車用ブレーキディスクローター１００は鋳造品、オートバイ用ブレーキディスクローターはステンレス鋼板の成形品という棲み分けがされているのが現状である。
【００１６】
本発明の目的は、プレス成形により安価に製作可能で、しかも機械的強度を十分に確保しつつ、薄肉化及び軽量化が可能な自動車用ブレーキディスクローターとして好適な金属板成形品及びその製造方法を提供することである。
【課題を解決するための手段】
【００１７】
本発明に係る金属板成形品は、内側部と、前記内側部よりも外周側に設けた外側部と、前記外側部と内側部とが両者の板厚方向に間隔をあけて平行配置されるように、前記外側部の内周縁から立ち上がって、前記外側部と前記内側部とを連結する連結部とを備えたハット形状の金属板成形品であって、前記連結部は、周方向に間隔をあけて設けた、半径方向に幅を有する板状の複数のスポーク部であって、一端部を外側部の内周縁に連結し、他端部を内側部の外周縁に連結し、途中部にオフセット方向との直交面に対して傾斜状で且つ周方向に延びる傾斜円弧部を有する、複数のスポーク部を備えたものである。
【００１８】
この金属板成形品では、外側部と内側部とを連結する連結部が複数のスポーク部で構成され、該複数のスポーク部は、一端部を外側部の内周縁に連結し、他端部を内側部の外周縁に連結し、途中部に板厚方向との直交面に対して傾斜状で且つ周方向に延びる傾斜円弧部を設けたものなので、金属板をプレス成形することで、ハット形状の金属板成形品を無理なく容易に製作することが可能となる。つまり、金属板をプレス成形してハット形状の金属板成形品を製作するときには、外側部に対して内側部を板厚方向に押し出すようにプレス成形することになるが、このとき金属板のうちのスポーク部が主に曲げ変形することで、押し出しによる内側部と外側部との変位を吸収して、スポーク部に大きな引っ張り力が作用することを防止できるので、内側部と外側部との板厚方向の距離が長い（オフセット量が大きい）場合であっても、また連結部の立上り角度が直角に近い場合であっても、連結部における割れや強度低下を招くことなく、金属板成形品を無理なくプレス成形により製作することが可能となる。このように、金属板成形品をプレス成形により無理なく容易に製作できるので、鋳造にて製作した金属板成形品と比較して、安価に製作可能で、しかも機械的強度を十分に確保しつつ、薄肉で軽量な金属板成形品を実現できる。
【００１９】
ここで、前記金属板成形品が自動車用ブレーキディスクローターであり、前記内側部がホイールに固定される取付面部であり、前記外側部がパッドで挟圧される摺動面部であり、前記連結部により、前記摺動面部と取付面部とが軸方向（板厚方向）に間隔をあけて平行配置されるように、前記摺動面部の内周縁から立ち上がって、前記摺動面部と前記取付面部とが連結されていることが好ましい実施の形態である。この場合には、鋳造にて製作した自動車用ブレーキディスクローターと比較して、安価に製作可能で、しかも機械的強度を十分に確保しつつ、薄肉で軽量な自動車用ブレーキディスクローターを実現できる。
【００２０】
前記傾斜円弧部を、前記外側部の内周縁との連結部位から、前記内側部の外周縁との連結部位へ向けて周方向に設けることが好ましい実施の形態である。この場合には、外側部と内側部との板厚方向への間隔が比較的小さい場合に好適で、スポーク部を短く幅広に構成して、外側部と内側部の連結強度を向上できる。
【００２１】
また、前記傾斜円弧部の途中部に折り返し部を形成し、前記傾斜円弧部に、前記内側部の外周縁との連結部位から折り返し部に至る内周側部分と、前記折り返し部から外側部の内周縁との連結部位に至る外周側部分とを設けることも好ましい実施の形態である。この場合には、外側部と内側部との軸方向への間隔が大きい場合に好適で、スポーク部の本数を減らすことなくスポーク部の長さを長くして、外側部と内側部との板厚方向への間隔を大きく設定できる。
【００２２】
前記外側部と内側部との板厚方向に対する間隔を２０ｍｍ以上に設定することができる。
【００２３】
前記複数のスポーク部は回転対称に形成することが好ましい。このように構成すると、例えば本発明を自動車用ブレーキディスクローターに適用した場合において、自動車用ブレーキディスクローターの回転時におけるブレの発生を防止できるとともに、制動時に摺動面部から取付面部に対してバランス良く制動力を伝達することができる。また、プレス成形するときに、外側部と内側部とを板厚方向（軸方向）にバランス良く離間させることができ、金属板成形品の寸法精度を向上できる。
【００２４】
本発明に係る金属板成形品の製造方法は、内側部と、前記内側部よりも外周側に設けた外側部と、前記外側部と内側部とが両者の板厚方向に間隔をあけて平行配置されるように、前記外側部の内周縁から立ち上がって、前記外側部と前記内側部とを連結する連結部とを備えた、金属板をプレス成形してなるハット形状の金属板成形品であって、前記金属板を打ち抜いて一次成形板を準備する一次成形板準備工程と、該一次成形板における前記連結部に対応する環状面部内に、周方向に延びる複数のスリットを、周方向に間隔をあけて、該スリットの両端が隣接する両側のスリットの端部にそれぞれ周方向に一定角度だけ半径方向に重なるように形成するスリット形成工程と、前記内側部に相当する部分を、板厚方向に押し出すことによって前記スリットを開き、かつ前記内側部と前記外側部が平行になるようにプレス成形して前記連結部を形成するプレス成形工程とを備えたものである。
【００２５】
この製造方法では、スリット形成工程において、一次成形板における連結部に対応する環状面部内に、周方向に延びる複数のスリットを、周方向に間隔をあけて、該スリットの両端が隣接する両側のスリットの端部にそれぞれ周方向に一定角度だけ半径方向に重なるように形成し、プレス成形工程において、内側部に相当する部分を、板厚方向に押し出すことによって前記スリットを開き、かつ前記内側部と前記外側部が平行になるようにプレス成形して前記連結部を形成するので、プレス成形時には、隣接するスリット間の部分が、主に曲げ変形することで、押し出しによる内側部と外側部との板厚方向への変位を吸収でき、大きな引っ張り力が作用しないので、内側部と外側部との板厚方向の距離が長い（オフセット量が大きい）場合であっても、また連結部の立上り角度が直角に近い場合であっても、連結部における割れや強度低下を招くことなく、金属板成形品を無理なくプレス成形により製作することが可能となる。このように、金属板成形品をプレス成形により無理なく容易に製作できるので、鋳造にて製作した金属板成形品と比較して、安価に製作可能で、しかも機械的強度を十分に確保しつつ、薄肉で軽量な金属板成形品を実現できる。
【００２６】
ここで、前記金属板成形品が自動車用ブレーキディスクローターであり、前記内側部がホイールに固定される取付面部であり、前記外側部がパッドで挟圧される摺動面部であり、前記連結部により、前記摺動面部と取付面部とが軸方向に間隔をあけて平行配置されるように、前記摺動面部の内周縁から立ち上がって、前記摺動面部と前記取付面部とが連結されていることが好ましい実施の形態である。この場合には、鋳造にて製作した自動車用ブレーキディスクローターと比較して、安価に製作可能で、しかも機械的強度を十分に確保しつつ、薄肉で軽量な自動車用ブレーキディスクローターを実現できる。
【００２７】
前記スリットが、径方向に対して傾斜する直線、曲線、又は直線と曲線の組合せからなることが好ましい実施の形態である。この場合には、外側部と内側部との板厚方向への間隔が比較的小さい場合に好適で、隣接するスリット間に形成されるスポーク部を短く幅広に構成して、連結部を構成する複数のスポーク部による外側部と内側部の連結強度を向上できる。
【００２８】
また、前記スリットが、周方向の一方側に向けて開口するＵ字部と、該Ｕ字部の中央部から周方向の他方向へ延びる曲線部との組合せからなるＹ字状に形成されていることが好ましい実施の形態である。この場合には、隣接するスリットにより途中部に折り返し部を有するスポーク部を形成できるので、外側部と内側部との板厚方向への間隔が大きい場合に好適で、スポーク部の本数を減らすことなくスポーク部の長さを長くして、外側部と内側部との板厚方向への間隔を大きく設定できる。
【００２９】
前記外側部と内側部との板厚方向に対する間隔を２０ｍｍ以上に設定することもできる。
【００３０】
前記複数のスリットを、前記一次成形板の中心に対して回転対称となるように形成することも好ましい実施の形態である。このように構成すると、例えば本発明を自動車用ブレーキディスクローターの製造方法に適用すると、製造した自動車用ブレーキディスクローターの回転時におけるブレの発生を防止できるとともに、制動時に摺動面部から取付面部に対してバランス良く制動力を伝達することができる。また、プレス成形するときに、外側部と内側部とを板厚方向（軸方向）にバランス良く離間させることができ、金属板成形品の寸法精度を向上できる。
【発明の効果】
【００３１】
本発明に係る金属板成形品によれば、金属板成形品をプレス成形により無理なく容易に製作できるので、鋳造にて製作した金属板成形品と比較して、安価に製作可能で、しかも機械的強度を十分に確保しつつ、薄肉で軽量な金属板成形品を実現できる。
【図面の簡単な説明】
【００３２】
【図１】自動車用ブレーキディスクローターの斜視図
【図２】（ａ）〜（ｄ）は自動車用ブレーキディスクローターの製造方法の説明図である。
【図３】同自動車用ブレーキディスクローターの２次成形品の平面図
【図４】他の構成の２次成形品の平面図
【図５】他の構成の２次成形品の平面図
【図６】他の構成の２次成形品の平面図
【図７】他の構成の２次成形品の平面図
【図８】他の構成の２次成形品の平面図
【図９】図８のIX-IX線断面図
【図１０】他の構成の自動車用ブレーキディスクローターの斜視図
【図１１】（ａ）〜（ｄ）は同自動車用ブレーキディスクローターの製造方法の説明図
【図１２】同自動車用ブレーキディスクローターのスリット形成工程で形成されるスリットの説明図
【図１３】従来の自動車用ブレーキディスクローターの斜視図
【発明を実施するための形態】
【００３３】
以下、本発明の実施の形態について図面を参照しながら説明する。本実施の形態は、本発明を自動車用ブレーキディスクローターに適用した場合のものである。
【００３４】
［第１実施形態］
まず、自動車用ブレーキディスクローター１の構成について説明する。
図１に示すように、自動車用ブレーキディスクローター１は、平面視において全体形状が円形をしており、ホイールに固定される平坦な円板状の取付面部２と、取付面部２よりも外周部に設けた環状の摺動面部３と、摺動面部３の内周縁から立ち上がって摺動面部３と取付面部２を連結する複数のスポーク部４からなる連結部５とを備えている。なお、自動車用ブレーキディスクローター１、取付面部２、摺動面部３が、金属板成形品、内側部、外側部にそれぞれ相当する。
【００３５】
自動車用ブレーキディスクローター１は、車両に組み付けた状態で、ブレーキ装置の１対のブレーキパッド間に摺動面部３が配置され、該１対のブレーキパッドで摺動面部３を挟持することで、ホイールに制動力を付与できるように構成されている。
【００３６】
自動車用ブレーキディスクローター１は、ステンレス鋼板や炭素鋼板などの１枚の平坦な金属板を自動車用ブレーキディスクローター１の形状にプレス成形して製作されている。自動車用ブレーキディスクローター１の板厚は、全体的に略一様な板厚に構成され、例えば３〜１３ｍｍの板厚に構成されている。ただし、軽量化などのため、摺動面部３や取付け面部に対して、プレス成形や切削により部分的に薄肉な部分を形成したりすることも可能である。
【００３７】
取付面部２は、平坦な円板状に形成され、中央部には車軸が挿通する丸孔２ａが貫通状に形成され、半径方向の途中部の同一円周上には、ホイール取付用の４本のボルトが挿通する４つの取付孔２ｂが丸孔２ａを取り囲むように貫通状に形成されている。なお、取付孔２ｂの個数は、ホイール取付用のボルトの本数に応じた個数に設定することになる。
【００３８】
摺動面部３は、ブレーキパッドが圧接可能な幅を有する平坦な環状に形成されている。摺動面部３の両面は、凹凸のない平坦面に形成することもできるが、ブレーキパッドをクリーニングするためや、自動車用ブレーキディスクローター１を軽量に構成するため、図７に示すように、摺動面部３に板厚方向に貫通する複数の小孔６を形成したり、図８、図９に示すように、円弧状の複数の有底の溝部７を半径方向に対して角度を付けて周方向に間隔をあけて形成したりすることもできる。
【００３９】
連結部５は、周方向に間隔をあけて設けた、半径方向に幅を有する細長い板状の複数のスポーク部４であって、内周端部４ａを摺動面部３の内周縁に連結し、外周端部４ｂを取付面部２の外周縁に連結し、途中部に軸方向との直交面に対して傾斜状で且つ周方向に延びる傾斜円弧部４ｃを有する、複数のスポーク部４で構成され、隣接するスポーク部４間には開口部８が形成されている。平面視において、複数のスポーク部４の内周端部４ａと外周端部４ｂとは、自動車用ブレーキディスクローター１の周方向の同じ側に周方向に一定角度だけ位相をずらして配置され、また複数のスポーク部４の傾斜円弧部４ｃは、自動車用ブレーキディスクローター１の半径方向に対して傾斜状に配置され、更にスポーク部４の両端部は周方向に隣接する両側のスポーク部４の端部にそれぞれ周方向に一定角度だけ半径方向に重なるように配置されている。連結部５は、摺動面部３の内周縁から、摺動面部３に対してほぼ直角（８０度〜９０度）に立ち上がるように突出状に形成されている。
【００４０】
摺動面部３と取付面部２とは、連結部５によって軸方向（板厚方向）に間隔をあけて平行に配置されている。取付面部２と摺動面部３との軸方向の間隔Ｓは、車両側の構成に応じて任意に設定することができ、例えば２０ｍｍ以上に設定することになる。
【００４１】
次に、自動車用ブレーキディスクローター１の製造方法について説明する。
自動車用ブレーキディスクローター１の製造方法は、一次成形板準備工程と、スリット形成工程と、プレス成形工程と、焼き入れ工程とを備えている。
【００４２】
（１）一次成形板準備工程
一次成形板準備工程では、図２（ａ）に示すように、ステンレス鋼板や炭素鋼板などからなる素材金属板を打ち抜いて、外径が自動車用ブレーキディスクローター１の外径に適合する大きさの円盤状で、取付面部２に対応する取付面部構成部１２の中央部に丸孔２ａ及び４つの取付孔２ｂを形成した一次成形板１１を製作する。
【００４３】
（２）スリット形成工程
スリット形成工程では、図２（ｂ）、図３に示すように、一次成形板１１における連結部５に対応する円環状の連結部構成部１５内（図３の仮想線Ｃ１、Ｃ２間の環状部位）に、周方向に間隔をあけて複数のスリット１８を形成してなる、二次成形板１１Ａを製作する工程である。この連結部構成部１５が、環状面部（円環面部）に相当する。
【００４４】
二次成形板１１Ａのうちの仮想線Ｃ１の内側には、次のプレス成形工程により取付面部２に成形される取付面部構成部１２が設けられ、二次成形板１１Ａのうちの仮想線Ｃ２の外側には、次のプレス成形工程により摺動面部３に成形される摺動面部構成部１３が設けられ、仮想線Ｃ１、Ｃ２間の連結部構成部１５には、複数のスリット１８により、複数のスポーク部４に成形される、取付面部構成部１２と摺動面部構成部１３とを連結する複数のスポーク部構成部１４が半径方向に対して傾斜状に形成されている。
【００４５】
各スリット１８は、仮想線Ｃ１の外側に沿って配置される円弧状の内周側スリット１８ａと、仮想線Ｃ２の内側に沿って配置される円弧状の外周側スリット１８ｂと、内周側スリット１８ａと外周側スリット１８ｂとを連通し、且つ二次成形板１１Ａの外方側へ膨出する円弧状の中間スリット１８ｃとを備え、これらのスリット１８ａ、１８ｂ、１８ｃは連結部構成部１５を板厚方向に貫通して連続的に形成されている。
【００４６】
図３に示すように、二次成形板１１Ａの平面視において、内周側スリット１８ａと外周側スリット１８ｂとは、二次成形板１１Ａの周方向に一定角度だけ位相をずらして配置され、中間スリット１８ｃは二次成形板１１Ａの半径方向に対して角度を付けて傾斜状に形成され、隣接するスリット１８間において、内周側スリット１８ａと外周側スリット１８ｂとは周方向に一定角度Ｒ１だけ半径方向に重なるように配置されている。
【００４７】
これら複数のスリット１８は、プレス成形時における成形精度を高めるためや、自動車用ブレーキディスクローター１のスポーク部４の強度を一様にするため、二次成形板１１Ａの中心Ｐに対して回転対称となるように周方向に一定間隔おきに形成されている。ただし、ブレーキ鳴きの発生を防止したりするため、特定のスリット１８の長さを変更したり、半径方向に対するスリット１８の角度を変更したりして、自動車用ブレーキディスクローター１に形成する複数のスリット１８を回転非対称に構成することも可能である。
【００４８】
スリット１８の本数と周方向長さと半径方向長さとは、プレス成形によるスポーク部４の成形性と強度剛性を考慮して適宜に設定することになる。また、スリット１８の形状及び隣接するスリット１８間の距離は、スポーク部４がその全長にわたってできるだけ一様な幅になるように、プレス成形後のスポーク部４の形状を考慮して設定することになる。
【００４９】
スリット１８は、次のプレス成形工程において、スリット１８が開いて立ち上がって、複数のスポーク部４からなる連結部５を形成できるようにするため、立ち上がった状態で摺動面部３と取付面部２との板厚方向の距離Ｓ１（オフセット量）が２０ｍｍ以上となるように形成されている。
【００５０】
スリット１８は、レーザやウォータジェットやワイヤーソーなどの周知の加工方法によって形成することができる。スリット１８の幅は、任意に設定可能であるが、連結部５の強度剛性を高めるため、極力幅狭に構成することが好ましく、例えば３ｍｍ以下に設定することが好ましい。
【００５１】
なお、図４に示す二次成形板１１ＡＡのように、スリット１８の両端にアールを設けるための小孔１９を形成するようにしてもよい。これによって、プレス成形の際にスリット１８の端部に亀裂が生ずるのを防止することができる。
【００５２】
また、スリット１８は、１乃至複数の直線、１乃至複数の曲線、又は１乃至複数の直線と１乃至複数の曲線の組合せで構成することが可能で、例えば図５に示す二次成形板１１ＡＢのように、スリット１８に代えて、内周側と外周側の２本の直線状の直線スリット１８Ｂａ、１８Ｂｂの組み合わせからなるスリット１８ＡＢを設けたり、図６に示す二次成形板１１ＡＣのように、スリット１８に代えて、曲線状（円弧状）の内周側スリット１８Ｃａ及び外周側スリット１８Ｃｂと、両スリットを連結する１本の直線スリット１８Ｃｃの組み合わせからなるスリット１８ＡＣを設けることもできる。
【００５３】
更に、ブレーキパッドのクリーニング性を向上したり、自動車用ブレーキディスクローター１を極力軽量に構成するため、スリット形成工程の前工程或いは後工程において、摺動面部３に対応する部分に貫通状の複数の貫通孔を形成したり、摺動面部３に対応する部分の表裏面に有底の溝部７を半径方向に形成したりすることができる。具体的には、図７に示す二次成形板１１ＡＤのように、摺動面部３に対応する摺動面部構成部１３Ｄに、複数の小孔６を周方向に間隔をあけて貫通状に形成したり、図８、図９に示す二次成形板１１ＡＥのように、摺動面部３に対応する摺動面部構成部１３Ｅの表裏面に複数の溝部７を周方向に間隔をあけて形成したりすることも好ましい。小孔６及び溝部７の個数や形状や配設位置は、任意に設定可能で、例えばオートバイ用の周知のブレーキディスクと同様に設定できる。なお、小孔６を形成する場合には、自動車用ブレーキディスクローターが１回転することで、ブレーキパッドの全面に小孔６に対面するように、周方向に隣接する小孔６の半径方向位置をずらして配置することが好ましい。
【００５４】
（３）プレス成形工程
プレス成形工程では、図２（ｃ）に示すように、二次成形板１１Ａにおける取付面部構成部１２を、摺動面部構成部１３に対して、板厚方向に略平行に押し出すことによってスリット１８を徐々に開き、図１、図２（ｄ）のように、取付面部２と摺動面部３との板厚方向の距離Ｓ１が、所望の距離となるようにプレス成形して、スリット１８を開いてなる開口部８と、スポーク部構成部１４を軸方向に立ち上げてなる複数のスポーク部４とを有する連結部５を形成する。
【００５５】
プレス成形工程で用いる金型は、パンチ、ダイ、ブランクホルダーで構成され、パンチとダイのクリアランスは、仮想線Ｃ１、Ｃ２間の連結部構成部１５の半径方向の長さと同程度とする。このクリアランスが、スリット１８が開いて成形される連結部５の立ち上がるスペースとなる。
【００５６】
プレス成形工程によって、取付面部２と摺動面部３との板厚方向の距離Ｓ１は２０ｍｍ以上となる。
【００５７】
プレス成形工程では、二次成形板１１Ａの軸方向との直交面に対してスポーク部構成部１４が傾斜状に立ち上がるように塑性変形して、円周方向に延びるスリット１８が開くことによって連結部５が形成されるため、スポーク部構成部１４により形成されるスポーク部４は、ほとんど薄肉になることがなく、また割れや反りが発生せず、強度が低下することがない。
【００５８】
（４）焼き入れ工程
摺動面部構成部１３に対して高周波加熱装置などにより、自動車用ブレーキディスクローター１を構成する素材金属に応じた周知の加熱条件で焼き入れ処理を施して、自動車用ブレーキディスクローター１を得ることになる。
【００５９】
以上のように、本実施の形態によれば、取付面部２と摺動面部３との板厚方向の距離Ｓ１が大きい（オフセット量が大きい）場合であっても、また連結部５の立ち上り角度が直角に近い場合であっても、連結部５における割れや強度低下を招くことがなく、ステンレス鋼板などの金属板を用いた自動車用ブレーキディスクローター１を製造することができ、強度剛性を十分に確保しつつ、自動車用ブレーキディスクローター１の薄肉化及び軽量化が可能となる。
【００６０】
また、自動車用ブレーキディスクローター１００（図１３参照）のような形状であっても、プレス成形の工程数を多くして逐次変形させればプレス成形による製造も可能と考えられるが、このような方法では製造コストや時間の増大は深刻な問題となるが、本願発明であれば、１ストロークでのプレス成形が可能となり、製造コストの増大を招くこともない。
【００６１】
［第２実施形態］
第２実施形態の自動車用ブレーキディスクローター２１は、第１実施形態の自動車用ブレーキディスクローター１におけるスポーク部４及びスリット１８の構成を変更したもので、それ以外の構成は、第１実施形態の自動車用ブレーキディスクローター１と同様に構成されているので、同一部材には同一符号を付してその詳細な説明を省略する。なお、自動車用ブレーキディスクローター２１が、金属板成形品に相当する。
【００６２】
図１０に示すように、自動車用ブレーキディスクローター２１は、平面視において全体形状が円形をしており、ホイールに固定される平坦な円板状の取付面部２と、取付面部２よりも外周部に設けた環状の摺動面部３と、摺動面部３の内周縁から立ち上がって摺動面部３と取付面部２を連結する複数のスポーク部２４からなる連結部２５とを備えている。
【００６３】
連結部２５は、周方向に間隔をあけて設けた、半径方向に幅を有する細長い板状の複数のスポーク部２４であって、内周端部２４ａを摺動面部３の内周縁に連結し、外周端部２４ｂを取付面部２の外周縁に連結する傾斜円弧部２４ｃを有する、複数のスポーク部２４で構成され、隣接するスポーク部２４間には開口部８が形成されている。
【００６４】
傾斜円弧部２４ｃは、平面視において内周側と外周側とに略並列状に配置される部分円弧状の内周側円弧部２４ｄ及び外周側円弧部２４ｅと、周方向の一端において内周側円弧部２４ｄと外周側円弧部２４ｅとを連結する折り返し部２４ｆとを備えている。内周側円弧部２４ｄと外周側円弧部２４ｅとは自動車用ブレーキディスクローター２１の軸方向と直交する直交面に対して略鏡面対称に傾斜され、側面視において横向きＶ字状に配置されている。
【００６５】
スポーク部２４の両端部は、平面視において自動車用ブレーキディスクローター２１の同じ周方向位置に配置され、自動車用ブレーキディスクローター２１に形成される複数のスポーク部２４は、自動車用ブレーキディスクローター２１の中心Ｐを中心として回転対称に形成されている。ただし、スポーク部２４の両端部を周方向にずらして配置することも可能である。また、自動車用ブレーキディスクローター２１の成形精度を考慮すると、自動車用ブレーキディスクローター２１に形成される全てのスポーク部２４は、回転対称に構成することが好ましいが、ブレーキ鳴きの発生を防止したりするため、特定のスポーク部２４の形状や断面積を変更したりして、自動車用ブレーキディスクローター２１に形成する複数のスポーク部２４を回転非対称に構成することも可能である。
【００６６】
次に、自動車用ブレーキディスクローター２１の製造方法について説明する。
自動車用ブレーキディスクローター２１の製造方法は、一次成形板準備工程と、スリット形成工程と、プレス成形工程と、焼き入れ工程とを備えている。
【００６７】
一次成形板準備工程では、第１実施形態と同様に、ステンレス鋼板や炭素鋼板などからなる素材金属板を打ち抜いて、外径が自動車用ブレーキディスクローター２１の外径に適合する大きさの円盤状で、中央部に丸孔２ａ及び４つの取付孔２ｂを形成した一次成形板１１を製作する。
【００６８】
スリット形成工程では、図１１（ｂ）、図１２に示すように、一次成形板１１における連結部２５に相当する部位となる連結部構成部３５内（図１２の仮想線Ｃ１、Ｃ２間の部位）に、間隔をあけて複数のスリット３８を形成して、二次成形板３１Ａを製作する。
【００６９】
スリット３８は、図１２に示すように、仮想線Ｃ１の外側に沿って配置される円弧状の内周側スリット３８ａと、仮想線Ｃ２の内側に沿って配置される円弧状の外周側スリット３８ｂと、外周側スリット３８ｂと内周側スリット３８ａの一端部を連結する半円弧状スリット３８ｃと、半円弧状スリット３８ｃの途中部から、隣接するスリット３８の内周側スリット３８ａと外周側スリット３８ｂ間へ通って隣接する該スリット３８の半円弧状スリット３８ｃの円弧の略中心まで延びる中間スリット３８ｄとを備え、略Ｙ字状（刺又形状）に形成されている。なお、内周側スリット３８ａと外周側スリット３８ｂと半円弧状スリット３８ｃとが、周方向の一方側に向けて開口するＵ字部に相当し、中間スリット３８ｄが、該Ｕ字部の中央部から周方向の他方向へ延びる曲線部に相当する。
【００７０】
中間スリット３８ｄの内周側と外周側とに、次のプレス成形工程を経てスポーク部２４の内周側円弧部２４ｄと外周側円弧部２４ｅとを構成する内周側円弧部構成部３４ｄと外周側円弧部構成部３４ｅが形成され、半円弧状スリット３８ｃの内側に折り返し部２４ｆを構成する折り返し部構成部３４ｆが形成され、内周側円弧部構成部３４ｄと外周側円弧部構成部３４ｅと折り返し部構成部３４ｆとでスポーク部２４を構成するスポーク部構成部３４が形成されている。
【００７１】
図１２に示すように、二次成形板３１Ａの平面視において、内周側円弧部３４ｄと外周側円弧部３４ｅと中間スリット３８ｄとは周方向に一定角度Ｒ２だけ半径方向に重なるように配置されている。ただし、内周側円弧部３４ｄと中間スリット３８ｄとの半径方向に重なる角度と、外周側円弧部３４ｅと中間スリット３８ｄとの半径方向に重なる角度とは、図１２に示すように同じ角度Ｒ２に設定することが好ましいが異なる角度に設定することもできる。
【００７２】
スリット３８は、第１実施形態と同様に、レーザやウォータジェットやワイヤーソーなどの周知の加工方法によって形成することができる。スリット３８の幅は、任意に設定可能であるが、連結部２５の強度剛性を高めるため、極力幅狭に構成することが好ましく、例えば３ｍｍ以下に設定することが好ましい。
【００７３】
これら複数のスリット３８は、プレス成形時における成形精度を高めるためや、自動車用ブレーキディスクローター１のスポーク部２４の強度を一様にするため、二次成形板３１Ａの中心Ｐに対して回転対称となるように周方向に一定間隔おきに形成されている。ただし、ブレーキ鳴きの発生を防止したりするため、特定のスリット３８の長さを変更したり、半径方向に対するスリット３８の角度を変更したりして、自動車用ブレーキディスクローター２１に形成する複数のスリット３８を回転非対称に構成することも可能である。
【００７４】
プレス成形工程では、図１１（ｃ）に示すように、二次成形板３１Ａにおける取付面部構成部１２を、摺動面部構成部１３に対して、板厚方向に略平行に押し出してスリット３８を徐々に開き、図１０、図１１（ｄ）のように、取付面部２を、摺動面部３との板厚方向の距離Ｓ２が、所望の距離になるまでプレス成形して、スリット１８を開いてなる開口部８と、複数のスポーク部構成部３４を側面視横向きＶ字状に屈曲させて、軸方向に立ち上げてなる複数のスポーク部２４とからなる連結部２５を形成する。
【００７５】
この自動車用ブレーキディスクローター２１では、スポーク部２４の長さを容易に長く設定できるので、摺動面部３と取付面部２との軸方向への間隔が大きいブレーキディスクローターに好適で、スポーク部２４の本数を減らすことなくスポーク部２４の長さを長くして、摺動面部３と取付面部２との板厚方向の距離Ｓ２（オフセット量を、第１実施形態よりも大きくすることができるという効果を有する。
【００７６】
なお、前記第１及び第２実施形態では、自動車用ブレーキディスクローター１、２１に本発明を適用した場合について説明したが、自動車用以外の例えば自動二輪車用のブレーキディスクローターに本発明を適用することもできる。また、動力伝達経路に配置される、歯車やスプロケットなどに対しても、本発明を同様に適用することもできる。更に、これら以外のハット形状の任意の構成の金属板成形品に対しても本発明を適用することが可能で、この場合には、内側部及び外側部は円形以外の任意の形状、例えばオーバル形状（楕円形、小判形、卵形など）や平面視多角形状に形成することもできる。自動車用ブレーキディスクローター１、２１以外の金属板成形品においては、プレス成形可能な金属材料であれば、任意の組成の金属材料を採用できるし、その板厚も機械的強度などを考慮した任意の板厚に設定することができる。
【００７７】
以上、本発明の実施形態について説明したが、本発明は前述した実施形態に何ら限定されるものではなく、本発明の要旨を逸脱しない範囲においてその構成を変更し得ることは勿論である。
【符号の説明】
【００７８】
１      自動車用ブレーキディスクローター
２      取付面部
２ａ    丸孔
２ｂ    取付孔
３      摺動面部
４      スポーク部
４ａ    内周端部
４ｂ    外周端部
４ｃ    傾斜円弧部
５      連結部
６      小孔
７      溝部
８      開口部
１１    一次成形板
１１Ａ  二次成形板
１２    取付面部構成部
１３    摺動面部構成部
１４    スポーク部構成部
１５    連結部構成部
１８    スリット
１８ａ  内周側スリット
１８ｂ  外周側スリット
１８ｃ  中間スリット
１１ＡＡ  二次成形板
１９      小孔
１１ＡＢ  二次成形板
１８ＡＢ  スリット
１８Ｂａ  直線スリット
１８Ｂｂ  直線スリット
１１ＡＣ  二次成形板
１８ＡＣ  スリット
１８Ｃａ  内周側スリット
１８Ｃｂ  外周側スリット
１８Ｃｃ  直線スリット
１１ＡＤ  二次成形板
１３Ｄ    摺動面部構成部
１１ＡＥ  二次成形板
１３Ｅ    摺動面部構成部
２１      自動車用ブレーキディスクローター
２４      スポーク部
２４ａ  内周端部
２４ｂ  外周端部
２４ｃ  傾斜円弧部
２４ｄ  内周側円弧部
２４ｅ  外周側円弧部
２４ｆ  折り返し部
２５    連結部
３１Ａ  二次成形板
３４    スポーク部構成部
３４ｄ  内周側円弧部構成部
３４ｅ  外周側円弧部構成部
３４ｆ  折返し部構成部
３５    連結部構成部
３８    スリット
３８ａ  内周側スリット
３８ｂ   周側スリット
３８ｃ   円弧状スリット
３８ｄ  中間スリット
【図１】
2017013099.tif 000003
【図２】
2017013099.tif 000004
【図３】
2017013099.tif 000005
【図４】
2017013099.tif 000006
【図５】
2017013099.tif 000007
【図６】
2017013099.tif 000008
【図７】
2017013099.tif 000009
【図８】
2017013099.tif 000010
【図９】
2017013099.tif 000011
【図１０】
2017013099.tif 000012
【図１１】
2017013099.tif 000013
【図１２】
2017013099.tif 000014
【図１３】
2017013099.tif 000015